(57)【要約】      （修正有）【課題】前後に並列した分割天板を折り畳み可能に連結した天板に、左右方向に起立倒伏可能に連結した脚板と、各前後脚板の折畳み外面となる基部間を連結すると共に一端を脚板と着脱自在とした天板支持板とで構成した折畳み脚を装着した折畳みテーブルにおいて、折畳み時にコンパクトなテーブルを提供する。【解決手段】分割天板１１を天板部と側縁部で構成する下面開放形状に形成し、折畳まれる脚板２１及び一端側の脚板２１と連結を解除して脚板２１上に積層される天板支持板２２を、隣接する分割天板１１ａを折畳み対面させた際の対面空間内に納まる厚さに形成してなる。【選択図】図１０
2020103351.tif 000002
【特許請求の範囲】
【請求項１】
前後に並列した分割天板を折り畳み可能に連結した天板に、左右方向に起立倒伏可能に連結した脚板と、各前後脚板の折畳み外面となる基部間を連結すると共に一端を脚板と着脱自在とした天板支持板とで構成した折畳み脚を装着した折畳みテーブルにおいて、分割天板を天板部と側縁部で構成する下面開放形状に形成し、折畳まれる脚板及び一端側の脚板と連結を解除して脚板上に積層される天板支持板を、隣接する分割天板を折畳み対面させた際の対面空間内に納まる厚さに形成してなる折畳みテーブル。
【請求項２】
天板支持板の一端を脚板の基部に枢結すると共に他端の所定位置に係止突部を設け、着脱連結対象の脚板の基部に天板支持板の回動操作で係止突部を係止する係止凹部を設けると共に、折畳み収納時に天板支持板を脚板上に積層する際に、前記係止突部が前記脚板に衝突しないように形成してなる請求項１記載の折畳みテーブル。
【請求項３】
分割天板の裏面に立上連結面を備えた脚取付板を設け、前記立上連結面に脚板の基端を枢結してなる請求項１又は２記載の折畳みテーブル。
【請求項４】
分割天板を押し出し材で形成すると共に、分割天板の側縁部に、天板部裏面と適宜な間隙を有する脚装着用突部を形成し、天板部裏面と脚装着用突部の間に脚取付板を装着固定してなる請求項３記載の折畳みテーブル。
【発明の詳細な説明】
【技術分野】
【０００１】
本発明は、天板及び脚を折畳む折畳みテーブルに関するものである。
【背景技術】
【０００２】
折畳み天板と折畳み脚で構成される折畳みテーブルは、特許文献１に示されるように並列した分割天板を折畳み可能に連結した天板と、脚杆をクロス杆で連結して拡窄自在に形成した脚を組み合わせてなるもので、使用時には拡げた天板に脚を装着し、収納時（折畳み時）には、天板と脚を分離して各々を所定の束ね状態とするものである。しかし前記の折畳みテーブルは天板と脚が分離するため使用・収納時の作業が煩瑣である。
【０００３】
特許文献２には、天板と脚を非分離状態で折り畳み可能とした折畳みテーブルが開示されている。この折畳みテーブルは、天板が並列した分割天板をゴム紐で連結して形成し、折畳み脚が、前後に並列した分割天板の両端左右に分割天板長手方向に折畳む脚板と、分割天板の並列方向（前後方向・分割天板短手方向）で脚板を連結する天板支持板で形成され、天板支持板の一方の連結を解除して分割天板に沿わせることで折畳み脚を分割天板と共に折畳むものである。
【先行技術文献】
【特許文献】
【０００４】
【特許文献１】特開２００１−１３７０５１号公報。
【特許文献２】意匠登録１０８３４０８号公報。
【発明の概要】
【発明が解決しようとする課題】
【０００５】
上記の特許文献２に開示された天板と脚の一体折畳み構造の折畳みテーブルは、分割天板の連結がゴム紐で形成しているために、ゴム紐の経年劣化を考慮する必要があり、キャンプ等の屋外使用に際しては、火の近傍での使用ができないという制限がある。
【０００６】
また分割天板に起立倒伏可能に設けた脚が分割天板の外側面に枢結され、角筒体又は各板体形状の分割天板の裏面を覆う状態で折畳まれ、更に天板支持板も分割天板に更に重ねるように積層され、折り畳み時に折畳み脚の構成部品が分割天板から突出形態となる。このため全体を折畳んで束ねると、前記の折畳み脚の構成部品が外部に露出する形態で折畳まれ外観上見栄えが悪く、また折畳み脚の構成部品を内部に位置させて折畳むと全体が嵩張ってしまう。
【０００７】
そこで本発明は、コンパクトな折り畳みを可能とした新規な折畳みテーブルを提案したものである。
【課題を解決するための手段】
【０００８】
本発明の請求項１記載に係る折畳みテーブルは、前後に並列した分割天板を折り畳み可能に連結した天板に、左右方向に起立倒伏可能に連結した脚板と、各前後脚板の折畳み外面となる基部間を連結すると共に一端を脚板と着脱自在とした天板支持板とで構成した折畳み脚を装着した折畳みテーブルにおいて、分割天板を天板部と側縁部で構成する下面開放形状に形成し、折畳まれる脚板及び一端側の脚板と連結を解除して脚板上に積層される天板支持板を、隣接する分割天板を折畳み対面させた際の対面空間内に納まる厚さに形成してなることを特徴とするものである。
【０００９】
而して分割天板を拡げて天板とし、天板裏面において天板支持板で前後脚板の基部間を連結し、脚板を起立さると天板支持板が天板裏面と当接して折畳み脚の起立状態が安定し、テーブルとして使用に供される。また折畳み脚を倒伏し、天板支持板の一旦の連結を解除して左右脚板上に位置させると、分割天板の折畳みが可能となる。特に脚板及び天板支持板の積層部分を隣接する分割天板とで挟むように折畳むと、脚板及び天板支持板は分割天板内に収納された状態となり、コンパクトに且つ折畳み脚の構成部分が外部に露出することなく見栄え良く束ねられる。
【００１０】
また本発明の請求項２記載に係る折畳みテーブルは、天板支持板の一端を脚板の基部に枢結すると共に他端の所定位置に係止突部を設け、着脱連結対象の脚板の基部に天板支持板の回動操作で係止突部を係止する係止凹部を設けると共に、折畳み収納時に天板支持板を脚板上に積層する際に、前記係止突部が前記脚板に衝突しないように形成してなるものである。
【００１１】
前記構成を採用すると、脚板と天板支持板との着脱連結構造部分が、折畳み時の天板支持板の表面から突出しないので、分割天板の厚さ（対面空間を含む）を軽減でき、折畳み時コンパクト化に効果がある。
【００１２】
また本発明の請求項３記載に係る折畳みテーブルは、特に分割天板の裏面に立上連結面を備えた脚取付板を設け、前記立上連結面に脚板の基端を枢結してなるものであり、請求項４記載に係る折畳みテーブルは、更に分割天板を押し出し材で形成すると共に、分割天板の側縁部に、天板部裏面と適宜な間隙を有する脚装着用突部を形成し、天板部裏面と脚装着用突部の間に脚取付板を装着固定してなるものである。
【００１３】
而して前記の脚取付板を採用すると脚板の基端の枢結を分割天板の側縁部に直接行うことが無いので、分割天板の外観がすっきりとする。
【発明の効果】
【００１４】
本発明の構成は上記のとおりで、折畳み時に脚構成部品を分割天板の対向空間内に収納でき、折畳み時のコンパクト化を実現するものであり、また分割天板の折畳み方向を選択することで脚構成部品を外部に露出させること無く折畳みが可能となる。
【図面の簡単な説明】
【００１５】
【図１】本発明の実施形態の全体斜視図。
【図２】同折畳み状態を示す全体斜視図。
【図３】同天板の製出過程を示す説明図。
【図４】同脚取付部材の全体斜視図。
【図５】同脚の構成部材（脚板及び停止板）の説明図。
【図６】同組み込み説明図。
【図７】同動作説明図。
【図８】同分割天板の連結説明図。
【図９】同テーブルの使用時の説明図で（イ）は一部正面図  （ロ）は裏面斜視図。
【図１０】同折畳み経過の説明図。
【図１１】同図（斜視図）。
【図１２】同折畳み後の断面図。
【発明を実施するための形態】
【００１６】
次に本発明の実施形態（本発明のテーブル天板を使用した折畳みテーブル）について説明する。
【００１７】
実施形態に示した折畳みテーブルは、天板１と折畳み脚２で構成され、天板１は、各複数の分割天板１１と、連結片１２と、ネジ体１３で形成される。
【００１８】
分割天板１１は、長尺の天板部１１１の両側の側縁部１１２に、連結孔（天板連結部）１１３及び天板部１１１の裏面と適宜な間隔（装着間隙１１６）で対向側縁側に突設した脚装着用突部１１４を備えた押し出し材で形成したもので（図３イ）、先端の側縁部１１２を削除して天板部１１１の先端を突出させ（図３ロ）、前記の突出部分を裏面側に起立折曲して端面部１１５を形成する。前記の側縁部１１２は後述する対面空間Ａが確保される適宜な高さに形成したものである。
【００１９】
また連結孔１１３は、ネジ体１３を圧挿（圧螺合）することでネジ体１３を固定できる形状に形成したものである。
【００２０】
前記の分割天板１１は、前後に並列すると共に隣接分割天板１１ａを連結片１２とネジ体を用いて連結するもので、当該分割天板１１と隣接する分割天板１１ａの連結孔（天板連結部）１１３と対応する遊孔（枢結部）１２１を設けた連結片１２を分割天板間に差し渡し、遊孔１２１にネジ体１３を挿通してネジ体１３を連結孔１１３に固着してなるもので、並列した分割天板１１は折畳み可能に連結して天板１を形成するものである。
【００２１】
従って天板１は、隣接する分割天板１１が折り畳み可能に連結されているもので、平板状態としてテーブル天板として使用され、後述する折畳み脚２の折畳み操作に合わせ折畳まれるものである。
【００２２】
折畳み脚２は、脚板２１と、天板支持板２２と脚取付板（脚取付部材）２３で構成され、本実施形態では前後端に位置する分割天板１１に設けてなる。
【００２３】
脚取付板２３は、立上連結面２３１を備え前後端の分割天板１１の左右における天板部１１１の裏面と脚装着用突部１１４の間に形成される装着間隙１１６に差し入れ、カシメ加工等の手段で固着する。
【００２４】
脚板２１は脚面部２１１と脚面部の両側が折曲した側面部２１２とを備え、側面部２１２の基端を立上連結面２３１に添わせて枢結し、天板部１１１の裏面に対し起立倒伏自在に設けたものである。
【００２５】
天板支持板２２は、前後の脚板２１の左右外面側（脚板２１を倒伏した際の外面側）の基部間を連結するので、一端は一方の脚板に枢結（枢結軸２２１）して回動自在に連結し、他端には係止突部２２２を設けてなる。
【００２６】
また前記の天板支持板２２の連結・折畳みにおいて、着脱連結対象の脚板２１の脚面部２１１の基部端縁に、天板支持板２２の回動操作で係止突部２２２を係止する係止凹部２１３を設けると共に、折畳み収納時に天板支持板を脚板上に積層する際に、前記係止突部２２２が前記脚板２１に衝突しないように、脚板２１の脚面部２１１の当該箇所に係止突部２２２の収納孔２１４を形成しておく。
【００２７】
更に折畳み脚２と分割天板１１の側縁部１１２の高さの関係は、脚板２１を倒伏させて天板支持板２２を脚板２１上に積層した状態（折畳み時の状態）で、脚板装着の分割天板１１を隣接分解天板１１ａで覆った際に、分割天板１１，１１ａで形成される対面空間Ａ内に納まる厚さに形成しておくものである。
【００２８】
而して前記の折畳みテーブルは、分割天板１１を拡げて天板とし、天板裏面において天板支持板２２で前後脚板２１の基部間を連結し、脚板２１を起立さると天板支持板２２が天板１の裏面と当接して折畳み脚２の起立状態が安定し、テーブルとして使用に供されるものである（図１，９）。
【００２９】
折畳み操作について説明すると、折畳み脚２の全体を倒伏し（図１０イ）、天板支持板２２の係止突部２２２を係止凹部２１３から外して倒伏して（図１０ロ）、左右の脚板２１上に回動し、係止突部２２２を収納孔２１４内に納める（図１０ハ）。
【００３０】
上記状態で折畳み脚２を装着した分割天板１１を内方に折畳むと、前記分割天板１１の裏面は隣接する分割天板１１の裏面とで対向空間Ａが形成され、当該対向空間Ａ内に折畳脚の構成部品（脚板２１と、天板支持板２２と脚取付板２３が納められることになる（図２、図１２）。
【００３１】
尚図示した実施形態は４枚の分割天板１１を採用し、前後端の分割天板１１に折畳み脚２の構成部品を組み込んで形成したが、分割天板１１の枚数は任意であり（奇数の場合は折畳み時に前後端の一方の分割天板１１の裏面が露出状態で束ねられる。）、また折畳み脚２の組み込みは、前後端の分割天板１１の裏面に限定されない。
【００３２】
また本実施形態は分割天板１１に押し出し材を採用したが、押し出し材に限定されるものでは、分割天板１１の側縁部１１２による連結孔１１３の形成を絞り加工で行っても良い。
【符号の説明】
【００３３】
１      天板
１１，１１ａ    分割天板
１１１    天板部
１１２    側縁部
１１３    連結孔（天板連結部）
１１４    脚装着用突部
１１５    端面部
１１６    装着間隙
１２    連結片
１２１    遊孔（枢結部）
１３    ネジ体
２      折畳み脚
２１    脚板
２１１    脚面部
２１２    側面部
２１３    係止凹部
２１４    収納孔
２２    天板支持板
２２１    枢結軸
２２２    係止突部
２３    脚取付板（脚取付部材）
２３１    立上連結面
【図１】
2020103351.tif 000003
【図２】
2020103351.tif 000004
【図３】
2020103351.tif 000005
【図４】
2020103351.tif 000006
【図５】
2020103351.tif 000007
【図６】
2020103351.tif 000008
【図７】
2020103351.tif 000009
【図８】
2020103351.tif 000010
【図９】
2020103351.tif 000011
【図１０】
2020103351.tif 000012
【図１１】
2020103351.tif 000013
【図１２】
2020103351.tif 000014